(57)【要約】【課題】ピント板の交換が可能な撮像装置において、電子ビューファインダにピント板の表示情報に対応する画像情報を自動的に表示する。【解決手段】撮像装置は、撮像光学系２００ａによりピント板４６に投影された被写体像を観察するための光学ファインダ２２，１８を有し、互いに異なる表示情報を有する複数のピント板４６Ａ〜４６Ｃを選択的に装着可能である。該撮像装置は、撮像素子３３を用いて生成された画像を表示する表示素子１９と、装着されたピント板を識別し、該識別されたピント板の表示情報に対応する画像情報を表示するように表示素子１９を制御する制御手段１００とを有する。  【選択図】  図６
2009033576.tif 000002
【特許請求の範囲】
【請求項１】
撮像光学系によりピント板に投影された被写体像を観察するための光学ファインダを有し、互いに異なる表示情報を有する複数のピント板を選択的に装着可能な撮像装置であって、
撮像素子を用いて生成された画像を表示する表示素子と、
装着された前記ピント板を識別し、該識別されたピント板の表示情報に対応する画像情報を表示するように前記表示素子を制御する制御手段とを有することを特徴とする撮像装置。
【請求項２】
前記各ピント板の表示情報に対応する画像情報を記憶した記憶手段を有し、
前記制御手段は、装着された前記ピント板の識別結果に応じた前記画像情報を前記記憶手段から読み出して前記表示素子に表示することを特徴とする請求項１に記載の撮像装置。
【請求項３】
前記表示素子における前記画像情報の表示状態を調整するために操作される調整手段を有し、
前記制御手段は、前記調整手段の操作に応じて前記画像情報の表示状態を変更することを特徴とする請求項１又は２に記載の撮像装置。
【請求項４】
撮像素子を用いて生成された画像を表示する表示素子と、撮像光学系によりピント板に投影された被写体像を観察するための光学ファインダとを有し、互いに異なる表示情報を有する複数のピント板を選択的に装着可能な撮像装置の制御方法であって、
装着された前記ピント板を識別するステップと、
該識別されたピント板の表示情報に対応する画像情報を表示するように前記表示素子を制御するステップとを有することを特徴とする撮像装置の制御方法。
【発明の詳細な説明】
【技術分野】
【０００１】
本発明は、ピント板の交換が可能な撮像装置に関し、装着されたピント板に対応した表示情報を表示素子に表示できる撮像装置に関する。
【背景技術】
【０００２】
一眼レフデジタルカメラ等の撮像装置には、光学像としての被写体像を撮像者に観察させるための光学ファインダに加えて、撮像素子を用いて生成した被写体の電子画像を液晶パネル等の表示素子に表示するいわゆる電子ビューファインダを有するものがある。
【０００３】
光学ファインダでは、撮像光学系からの光によってピント板上に投影された被写体像をファインダ光学系を通して観察することができる。
【０００４】
ピント板には、焦点検出エリアや補助線等の表示情報（以下、ピント板表示情報という）が刻印又は印刷により設けられていることが多い。撮像者は、光学ファインダを通して、被写体像にスーパーインポーズ表示された該ピント板表示情報を観察することで、焦点検出動作が行われた又は行われるエリアを確認したり、撮像構図を容易に決定したりすることができる。
【０００５】
光学ファインダを覗く必要がなく、表示素子により被写体像及び構図補助線を確認するものも提案されている。（例えば、特許文献１参照）
特許文献１に記載された銀塩撮影及び電子撮像兼用カメラでは、撮影モードに応じて、表示素子にＲＯＭに記憶された構図決定用の補助線パターンをスーパーインポーズ表示されている。
【特許文献１】特開２０００−９８４８４号公報
【発明の開示】
【発明が解決しようとする課題】
【０００６】
しかしながら、特許文献１にて開示されたカメラでは、ピント板の表示情報とは無関係に、ＲＯＭに記憶された所定の補助線パターンを表示素子に表示するにすぎない。
【０００７】
このため、このカメラがピント板の交換が可能なものであったとしても、撮像者が望むピント板表示情報は光学ファインダでしか利用することができない。つまり、電子ビューファインダを、ピント板表示情報を表示可能な光学ファインダと同等に利用することができないという問題がある。
【０００８】
したがって、本発明は上述した課題に鑑みてなされたものであり、その目的は、ピント板の交換が可能であり、かつ電子ビューファインダにおいてピント板表示情報に対応する画像情報を表示できるようにした撮像装置を提供する。
【課題を解決するための手段】
【０００９】
上記目的を達成するために、本発明に係わる撮像装置は、撮像光学系によりピント板に投影された被写体像を観察するための光学ファインダを有し、互いに異なる表示情報を有する複数のピント板を選択的に装着可能な撮像装置であって、撮像素子を用いて生成された画像を表示する表示素子と、装着されたピント板を識別し、該識別されたピント板の表示情報に対応する画像情報を表示するように表示素子を制御する制御手段とを有することを特徴とする。
【００１０】
また、本発明の他の側面としての撮像装置の制御方法は、撮像素子を用いて生成された画像を表示する表示素子と、撮像光学系によりピント板に投影された被写体像を観察するための光学ファインダとを有し、互いに異なる表示情報を有する複数のピント板を選択的に装着可能な撮像装置に用いられる。該制御方法は、装着されたピント板を識別するステップと、該識別されたピント板の表示情報に対応する画像情報を表示するように表示素子を制御するステップとを有することを特徴とする。
【発明の効果】
【００１１】
本発明によれば、装着されたピント板を識別し、識別されたピント板の表示情報に対応する画像情報を電子ビューファインダに表示することができる。これにより、電子ビューファインダを、光学ファインダと同等に利用して撮像を行うことができる。
【発明を実施するための最良の形態】
【００１２】
以下、本発明の好ましい実施例について、図面を参照しながら説明する。
【００１３】
図１及び図２には、本発明の実施例であるピント板交換タイプの一眼レフデジタルカメラ（撮像装置：以下、カメラという）の外観を示す。図１はカメラを前方から見た斜視図であり、撮像レンズユニットを取り外した状態を示す。図２は、カメラを背面側から見た斜視図である。また、図３には、カメラ及び撮像レンズユニットの構成を示している。
【００１４】
図１において、１はカメラ本体であり、使用者がカメラを握る部分であるグリップ部１ａが設けられている。２はマウント部であり、撮像レンズユニット（撮像光学系）２００（図３参照）をカメラ本体１に着脱可能に固定する。カメラ本体１と撮像レンズユニット２００との間では、マウント接点２１を介して制御信号、状態信号、データ信号等の通信を行うと共に、カメラ本体１から撮像レンズユニット２００への電力供給を行う。また、マウント接点２１を介して、電気的通信のみならず、光を用いた通信を行うようにしてもよい。
【００１５】
４は撮像レンズユニット２００を取り外す際に操作されるレンズロック解除ボタンである。５はカメラ本体１内に配置されたミラーボックスであり、撮像レンズユニット２００を通過した光束はここへ導かれる。
【００１６】
ミラーボックス５の内部には、メインミラー（クイックリターンミラー）６が配設されている。メインミラー６は、撮像レンズユニット２００の光軸に対して４５°の角度に保持されるダウン位置と、撮像光路から退避するアップ位置とに移動可能である。メインミラー６がダウン位置にある状態では、撮像レンズユニット２００を通過した光束はメインミラー６で反射されてピント板４６（図３参照）の方向に導かれる。また、メインミラー６がアップ位置にある状態では、撮像レンズユニット２００を通過した光束はシャッタ３２及び撮像素子３３（図３参照）の方向に導かれる。
【００１７】
カメラ本体１の上部グリップ部側には、撮像を開始させる起動スイッチとしてのシャッターボタン７と、撮像モードに応じてシャッタスピードや絞り値を設定するためのメイン操作ダイヤル８とが配置されている。また、撮像モードを設定するためのモード設定ボタン１０も配置されている。これらの操作部材の状態は、ＬＣＤパネル９に表示される。
【００１８】
シャッターボタン７の第１ストローク（半押し）操作によって、図３に示すスイッチＳＷ１（７ａ）がＯＮし、シャッターボタン７の第２ストローク（全押し）操作によってスイッチＳＷ２（７ｂ）がＯＮする。
【００１９】
モード設定ボタン１０は、単独撮像モードと連続撮像モードの設定や、セルフ撮像モードの設定等を行うために操作される。
【００２０】
カメラ本体１の上部中央には、カメラ本体１に対してポップアップするフラッシュユニット１１と、図示しない外付けフラッシュユニットを取り付けるためのフラッシュシュー１２とが設けられている。また、フラッシュシュー１２内には、外付けフラッシュユニットとの通信を行うためのフラッシュ接点１３が配置されている。
【００２１】
さらに、カメラ本体１の上部におけるグリップ部１ａとは反対側の位置には、撮像モード設定ダイヤル１４が配置されている。この撮像モード設定ダイヤル１４の操作により、マニュアル撮像モード、オート撮像モード、プログラムＡＥ撮像モード、シャッタスピード優先撮像モード、絞り優先撮像モード等の撮像モードを設定することができる。
【００２２】
カメラ本体１の右側面には、開閉可能な外部端子蓋１５が配置されている。この外部端子蓋１５を開けた内部には、外部インタフェースとしてのビデオ出力ジャック１６とＵＳＢコネクタ１７が納められている。
【００２３】
図２において、カメラ本体１の背面上部には、光学ファインダの接眼部を構成する接眼レンズ１８が設けられている。また、カメラ本体１の背面左側には、後述するライブビュー画像や撮像済み画像を表示可能なカラー液晶表示部（表示素子）１９が設けられている。
【００２４】
２０はカラー液晶表示部１９の横に配置されたサブ操作ダイヤルであり、メイン操作ダイヤル８の機能の補助的役割を担っている。例えば、プログラムＡＥ撮像モードでは、後述するマイクロコンピュータ１００によって算出された露出値に対する補正量を設定するために使用される。また、シャッタスピードや絞り値を撮影者が選択するマニュアル撮像モードにおいては、メイン操作ダイヤル８でシャッタスピードを設定し、サブ操作ダイヤル２０で絞り値を設定する。
【００２５】
サブ操作ダイヤル２０は、撮像済み画像のうちカラー液晶表示部１９に表示させる画像の選択やカラー液晶表示部１９に表示される後述するスーパーインポーズ表示情報の調整部材としても用いられる。
【００２６】
４３はカメラの動作を起動及び停止するためのメインスイッチである。
【００２７】
４４はカメラの動作モードを、電子ビューファインダにおいて後述するピント板表示情報に対応した画像情報の表示状態を調整可能とする調整モードに切り換えるための調整モード操作部材である。
【００２８】
４５はカメラの動作モードをライブビューモードに切り換えるためのライブビューモード操作部材である。ライブビューモードとは、撮像素子３３を用いて生成された被写体の画像（動画像）を、ライブビュー画像としてカラー液晶表示部１９に表示するモードであり、これにより電子ビューファインダが実現される。
【００２９】
図３において、１００はＣＰＵやＭＰＵ等により構成される制御手段としてのマイクロコンピュータである。マイクロコンピュータ１００は、カメラ全体の動作制御を司り、カメラ内の各部に対して各種処理の実行を指示する。
【００３０】
１００ａはマイクロコンピュータ１００に内蔵された記憶手段としてのＥＥＰＲＯＭであり、時刻計測回路１０９によりカウントされる時刻情報や、交換可能な各ピント板の表示情報に対応した画像情報や、各種の撮像情報を記憶する。
【００３１】
マイクロコンピュータ１００には、ミラー駆動部１０１、焦点検出回路１０２、シャッタ駆動部１０３、映像信号処理回路１０４、スイッチセンス回路１０５及び測光回路１０６が接続されている。また、マイクロコンピュータ１００には、ＬＣＤ駆動回路１０７、バッテリチェック回路１０８、時刻計測回路１０９、電源供給回路１１０、圧電素子駆動回路１１１及び交換ピント板検知回路１１３が接続されている。これら各部は、マイクロコンピュータ１００からの制御信号に応じて動作する。
【００３２】
マイクロコンピュータ１００は、撮像レンズユニット２００内に配置されたレンズ制御回路２０１と、マウント接点２１を介して通信を行う。これにより、マイクロコンピュータ１００は、レンズ制御回路２０１、ＡＦ駆動部２０２及び絞り駆動部２０３を介して、撮像レンズユニット２００内の撮像レンズ２００ａや絞り２０４の駆動を制御する。
【００３３】
なお、図３には、撮像レンズ２００ａを１枚のレンズとして示しているが、実際は複数のレンズにより構成されている。
【００３４】
ＡＦ駆動部２０２は、ステッピングモータ等のアクチュエータを含み、レンズ制御回路２０１からの制御信号に応じて撮像レンズ２００ａ内のフォーカスレンズを移動させる。これにより、撮像レンズ２００ａのピントが被写体に合わせられる。
【００３５】
絞り駆動部２０３は、オートアイリス等によって構成され、レンズ制御回路２０１からの制御信号に応じて絞り２０４を駆動する。
【００３６】
メインミラー６は、ダウン位置において、撮像レンズ２００ａからの光束の一部を反射してピント板４６に向かわせる。これにより、撮像レンズ２００ａによって形成される光学像としての被写体像が、ピント板４６上に投影される。ピント板４６を透過した光束は、ペンタプリズム２２に入射する。
【００３７】
また、メインミラー６は、ダウン位置において、撮像レンズ２００ａからの光束の一部を透過させる。メインミラー６を透過した光束は、サブミラー３０で反射されて焦点検出センサユニット３１へと導かれる。
【００３８】
サブミラー３０は、メインミラー６とともにダウン位置（メインミラー６の後方にて撮像光路内に配置される位置）とアップ位置（撮像光路外に退避する位置）との間で駆動される。ミラー駆動部１０１は、ＤＣモータ等のアクチュエータとギヤトレインを含み、マイクロコンピュータ１００からの制御信号に応じて動作してメインミラー６及びサブミラー３０をダウン位置とアップ位置との間で駆動する。
【００３９】
ペンタプリズム２２は、ピント板４６上に投影された被写体像を正立正像に変換するようピント板４６からの光束を複数回反射する。ペンタプリズム２２を射出した光束は、接眼レンズ１８を通過して不図示の撮影者の眼に達する。これにより、ピント板４６上に投影された被写体像（但し、ペンタプリズム２２によって変換された正立正像）を撮影者に提示する光学ファインダが構成される。
【００４０】
ペンタプリズム２２内に入射した光束の一部は測光センサ２５に導かれる。１０６は測光回路であり、撮像画面内の各測光エリアの輝度を検出し、輝度信号をマイクロコンピュータ１００に出力する。マイクロコンピュータ１００は、輝度信号をＡ／Ｄ変換し、撮像時における撮像素子３３の露光量（シャッタスピードや絞り値）を算出する。
【００４１】
焦点検出センサユニット３１は、フィールドレンズ、反射ミラー、２次結像レンズ及び絞りを含み、複数の受光素子列（ラインセンサ）上に複数の被写体像を形成する。各ラインセンサは被写体像を光電変換し、その出力信号を焦点検出回路１０２に供給する。
【００４２】
焦点検出回路１０２は、マイクロコンピュータ１００からの指示に応じて、ラインセンサの電荷蓄積制御と信号読出し制御を行い、ラインセンサからの信号に基づいて生成した像信号をマイクロコンピュータ１００へ出力する。
【００４３】
マイクロコンピュータ１００は、焦点検出回路１０２からの複数の像信号の位相差を求め、該位相差に基づいて撮像レンズ２００ａのデフォーカス量とデフォーカス方向を求める。そして、マイクロコンピュータ１００は、デフォーカス量とデフォーカス方向に基づいて合焦状態を得るためのフォーカスレンズの移動量と移動方向を算出し、レンズ制御回路２０１及びＡＦ駆動部２０２を介してフォーカスレンズを移動させる。
【００４４】
３２はフォーカルプレーンシャッタ（以下、単にシャッタという）であり、撮像時における撮像素子３３の露光量を制御するために開閉動作する。シャッタ３２は、マイクロコンピュータ１００からの制御信号に応じて動作するシャッタ駆動部１０３により駆動される。マイクロコンピュータ１００は、光学ファインダを用いて被写体観察を行うＯＶＦモードが撮影者により選択されている場合には、シャッタ駆動部１０３を通じてシャッタ３２を閉状態とする。一方、電子ビューファインダを用いてライブビュー画像を表示するＥＶＦモードが選択されている場合には、シャッタ駆動部１０３を通じてシャッタ３２を開状態とする。
【００４５】
撮像素子３３は、ＣＣＤセンサやＣＭＯＳセンサ等の２次元イメージセンサ（光電変換素子）である。
【００４６】
３４はクランプ／ＣＤＳ（相関二重サンプリング）回路であり、撮像素子３３からの出力信号（アナログ信号）に対して基本的なアナログ処理を行うとともに、マイクロコンピュータ１００からの制御信号に応じてクランプレベルを変更する。
【００４７】
３５はＡＧＣ（自動利得調整）回路であり、マイクロコンピュータ１００からの制御信号に応じて、クランプ／ＣＤＳ回路３４からの出力信号に対する利得を調整する。３６はＡ／Ｄ変換器であり、ＡＧＣ回路３５からのアナログ出力信号をデジタル信号に変換する。
【００４８】
１０４は映像信号処理回路であり、Ａ／Ｄ変換器３６からのデジタル信号に対して所定の画像処理を行い、モニタ用画像データ及び記録用画像データを生成する。映像信号処理回路１０４からのモニタ用画像データは、ライブビュー画像として、カラー液晶駆動回路１１２を介してカラー液晶表示部１９にて表示される。記録用画像データは、メモリコントローラ３８を通じて、半導体メモリ等により構成される記録媒体（メモリ）３９に記録される。メモリ３９は、カメラ本体１に対して取外しが可能である。
【００４９】
映像信号処理回路１０４には、該映像信号処理回路１０４での処理を待つ又は処理済みの画像データを一時的に格納するバッファメモリ３７が接続されている。メモリコントローラ３８は、バッファメモリ３７に対する画像データの格納と読み出しを制御する。また、メモリコントローラ３８は、外部インタフェース４０（図１に示したビデオ出力ジャック１６やＵＳＢコネクタ１７）を介して入力された画像データをメモリ３９に記録する。また、メモリコントローラ３８は、メモリ３９に記録されている画像データを外部インタフェース４０を通じて外部に出力することもできる。１０５はスイッチセンス回路であり、前述したスイッチや操作部材等の状態を検出してマイクロコンピュータ１００に通知する。
【００５０】
１０７は液晶表示駆動回路であり、マイクロコンピュータ１００からの制御信号に応じて、ＬＣＤ表示パネル９やファインダ内液晶表示ユニット４１を駆動する。
【００５１】
１０８はバッテリチェック回路であり、マイクロコンピュータ１００からの指令信号に応じてバッテリチェックを行い、そのチェック結果をマイクロコンピュータ１００へ送る。
【００５２】
４２は電源部であり、カメラ内の各部や撮像レンズユニット２００に電源を供給する。
【００５３】
４１０は水晶により形成された複屈折板と位相板を複数枚積層した光学ローパスフィルタであり、４３０は積層型の圧電素子である。圧電素子４３０は、マイクロコンピュータ１００からの制御信号に応じて圧電素子駆動回路１１１により駆動され、光学ローパスフィルタ４１０を振動させる。４００は光学ローパスフィルタ４１０、圧電素子４３０及び撮像素子３３がユニット化された撮像素子ユニットである。
【００５４】
図４には、本実施例のカメラにおいて、ピント板４６を交換可能に保持するピント板保持機構を示す。また、図５には、ピント板保持機構に対して着脱交換が可能な複数種類のピント板を示す。
【００５５】
図４において、４７はピント板４６Ａ〜４６Ｃを選択的に装着可能なピント板装着部であり、ピント板固定部材４９に対して開閉可能（回動可能）に取り付けられている。ピント板固定部材４９に対してピント板装着部４７を開いた状態で、ピント板装着部４７に装着されたピント板を取り外したり、ピント板装着部４７に別のピント板を装着したりすることができる。ピント板が装着されたピント板装着部４７を閉じ方向に回動させ、ピント板装着部４７に設けられた突起部４７ａをピント板固定部材４９に設けられた係止部４８に係合させることにより、ピント板を所定位置（撮像レンズ２００ａの予定結像位置）に配置できる。
【００５６】
図５において、ピント板４６Ａ〜４６Ｃには、互いに異なる表示情報（ピント板表示情報）ＤＩが刻印又は印刷により設けられている。ピント板４６Ａには、表示情報ＤＩとして、建築写真や複写に適した方眼補助線と画面中央の焦点検出枠が設けられている。また、ピント板４６Ｂには、接写や顕微鏡写真に適した目盛線と画面中央の焦点検出枠が表示情報ＤＩとして設けられている。さらに、ピント板４６Ｂには、標準タイプの補助線（焦点検出枠）が表示情報ＤＩとして設けられている。
【００５７】
また、ピント板４６Ａ，４６Ｂには、互いに異なる位置に突起４６ａが設けられている。一方、ピント板４６Ｃには、そのような突起は設けられていない。
【００５８】
交換ピント板検知回路１１３は、フォトリフレクタやフォトインタラプタ等の検出器を用いて突起４６ａが設けられている位置及び突起４６ａが設けられていないことを検出して、ピント板装着部４７に装着されたピント板を識別する。交換ピント板検知回路１１３は、識別結果をマイクロコンピュータ１００に送る。
【００５９】
なお、図５に示すピント板４６Ａ〜４６Ｃは例に過ぎず、他の表示情報を有するピント板を用いてもよい。
【００６０】
前述したように、ＥＥＰＲＯＭ１００ａには、ピント板４６Ａ〜４６Ｃの表示情報ＩＤに対応する画像情報（以下、補助線画像という）が記憶されている。マイクロコンピュータ１００は、ＥＥＰＲＯＭ１００ａから、交換ピント板検知回路１１３で識別された装着ピント板の表示情報ＤＩに対応する補助線画像を読み出して、カラー液晶表示部１９に表示させる。これにより、撮像素子３３を用いて生成された被写体のライブビュー画像上に、装着ピント板の表示情報ＤＩに対応する補助線画像が表示される。
【００６１】
図７には、装着ピント板としてピント板４６Ａが識別されたときにカラー液晶表示部１９に表示されるライブビュー画像と補助線画像を示している。
【００６２】
なお、本実施例では、ピント板４６Ａ〜４６Ｃの突起４６ａの位置を検出したり該突起が設けられていないことを検出したりすることで、装着ピント板を識別する場合について説明している。ただし、各ピント板にＲＦＩＤタグを設け、該タグとの通信により装着ピント板を識別する等、他の識別方法を採用してもよい。
【００６３】
また、本実施例では、ピント板表示情報に対応する補助線画像をＥＥＰＲＯＭ１００ａに予め記憶させておき、ピント板の識別結果に応じた補助線画像を読み出してカラー液晶表示部１９に表示する場合について説明している。ただし、各ピント板に補助線画像の情報を記憶したＲＦＩＤタグを設け、該タグとの通信で得た補助線画像をカラー液晶表示部１９に表示するようにしてもよい。
【００６４】
図６には、マイクロコンピュータ１００による処理の手順を示す。この処理は、マイクロコンピュータ１００内に格納されたコンピュータプログラムに従って実行される。
【００６５】
マイクロコンピュータ１００は、メインスイッチ４３がオンされると開始され、まず、ライブビューモード操作部材４５が操作されているか否かを判別する（ステップＳ１０１）。ライブビューモード操作部材４５が操作されていない場合は、ステップＳ１０８に進む。
【００６６】
ステップＳ１０８では、マイクロコンピュータ１００は、光学ファインダ（ＯＶＦ）にて被写体像を観察しながらの撮像を許容する。
【００６７】
一方、ライブビューモード操作部材４５が操作された場合は、マイクロコンピュータ１００は、ステップＳ１０２に進み、ライブビュー画像の表示を可能とするためにカラー液晶表示部１９を起動する。また、マイクロコンピュータ１００は、ミラー駆動部１０１を制御して、メインミラー６及びサブミラー３０をアップ位置に駆動させ、さらにシャッタ駆動部１０３を制御して、シャッタ３２を開状態に設定する。これにより、撮像レンズ２００ａにより形成された被写体像が撮像素子３３上に形成され。撮像素子３３を用いたライブビュー画像の生成が可能となる。
【００６８】
次に、マイクロコンピュータ１００は、ステップＳ１０３にて、交換ピント板検知回路１１３による装着ピント板の識別が可能か否かを判別する。装着ピント板の識別が可能である場合は、マイクロコンピュータ１００は、交換ピント板検知回路１１３からの識別結果を取り込み、ステップＳ１０４に進む。装着ピント板の識別ができない場合は、ステップＳ１０７に進み、補助線画像を表示せずにカラー液晶表示部１９へのライブビュー画像の表示を行う。補助線画像を表示せずにライブビュー画像を表示することにより、撮影者にピント板の装着状態の確認を促す。なお、この場合に、カラー液晶表示部１９に警告を表示してもよい。
【００６９】
ステップＳ１０４では、マイクロコンピュータ１００は、交換ピント板検知回路１１３からの識別結果に応じて、該識別されたピント板の表示情報ＩＤに対応する補助線画像をＥＥＰＲＯＭ１００ａから読み出す。そして、ライブビュー画像をカラー液晶表示部１９に表示するとともに、補助線画像を表示する。
【００７０】
なお、ピント板表示情報ＩＤに対応する補助線画像とは、ピント板表示情報ＩＤと同じ画像であってもよいし、同じとみなせる範囲で多少異なる画像であってもよい。さらに、後述する調整手段によって位置、大きさ、色等の表示状態がピント板表示情報ＩＤと異なるものであってもよい。
【００７１】
次に、ステップＳ１０５では、マイクロコンピュータ１００は、調整モード操作部材４４が操作されたか否かを判別する。調整モード操作部材４４が操作されていない場合は、ステップＳ１０７に進み、そのままライブビュー画像と補助線画像の表示を継続し、電子ビューファインダ（ＥＶＦ）を用いた撮像を許容する。
【００７２】
一方、調整モード操作部材４４が操作された場合は、ステップＳ１０６に進む。ステップＳ１０６では、マイクロコンピュータ１００は、サブ操作ダイヤル２０の操作に応じて、補助線画像の位置、大きさ、色等の表示状態を変更する。これにより、撮影者が望む表示状態の補助線画像を表示させることができる。調整モード操作部材４４とサブ操作ダイヤル２０により調整手段が構成される。
【００７３】
そして、ステップＳ１０７に進み、マイクロコンピュータ１００は、電子ビューファインダ（ＥＶＦ）を用いた撮像を許容する。
【００７４】
撮像が行われた場合はステップＳ１０９に進み、マイクロコンピュータ１００は、本処理を終了する。
【００７５】
以上説明したように本実施例によれば、ピント板の交換が可能なカメラにおいて、装着されたピント板の表示情報に対応した補助線画像をライブビュー画像上に自動的に表示することができる。したがって、電子ビューファインダを、ピント板表示情報が表示される光学ファインダと同等に利用して撮像を行うことができる。
【００７６】
以上説明した実施例は代表的な例にすぎず、本発明の実施に際しては、上記実施例に対して種々の変形や変更が可能である。
【図面の簡単な説明】
【００７７】
【図１】本発明の実施例である一眼レフデジタルカメラを前方から見たときの外観斜視図。
【図２】実施例のカメラを背面側から見たときの外観斜視図。
【図３】実施例のカメラの電気的構成を示すブロック図。
【図４】実施例のカメラにおけるピント板装着機構を示す斜視図。
【図５】実施例のカメラに装着可能な複数種類のピント板を示す図。
【図６】実施例のカメラ（マイクロコンピュータ）の処理を示すフローチャート。
【図７】実施例のカメラにおいて、補助線画像がライブビュー画像に表示された様子を示す図。
【符号の説明】
【００７８】
１  カメラ本体
６  メインミラー
７  シャッターボタン
１８  接眼レンズ
１９ カラー液晶表示部
２０  サブ操作ダイヤル
３２ シャッタ
３３  撮像素子
４４  調整モード操作部材
１００  マイクロコンピュータ
１１３  交換ピント板検知回路
ＤＩ  ピント板表示情報
【図１】
2009033576.tif 000003
【図２】
2009033576.tif 000004
【図３】
2009033576.tif 000005
【図４】
2009033576.tif 000006
【図５】
2009033576.tif 000007
【図６】
2009033576.tif 000008
【図７】
2009033576.tif 000009